(57)【要約】      （修正有）【課題】様々な織物を簡単且つ迅速に再紡できる梳綿機の給綿システムを提供する。【解決手段】梳綿機の給綿システム１００は、アナログ電圧を出力するためのドッファーインバーター１２０と、アナログ電圧を受信してアナログ電圧に応じて制御信号を出力するためのインバーター１４０と、制御信号を受信するための減速機モーター１６０と、を備え、減速機モーターの回転数が制御信号によって制御される。【選択図】図１
0003232004.tif 000002
【実用新案登録請求の範囲】
【請求項１】
アナログ電圧を出力するためのドッファーインバーターと、
前記アナログ電圧を受信するように前記ドッファーインバーターに信号接続され、前記アナログ電圧に応じて制御信号を出力するためのインバーターと、
前記インバーターに信号接続され、前記制御信号を受信するための減速機モーターと、
を備え、
前記減速機モーターの回転数が前記制御信号によって制御される梳綿機の給綿システム。
【請求項２】
前記減速機モーターは、給綿ローラーグループの回転数を制御するように、前記給綿ローラーグループを駆動するために使用される請求項１に記載の梳綿機の給綿システム。
【請求項３】
前記インバーターは、さらに、製造された綿スライバーの重量ニーズに応じて前記インバーターによって出力された前記制御信号を調整するために使用される請求項１に記載の梳綿機の給綿システム。
【請求項４】
前記インバーターは、製造された綿スライバーの重量ニーズに応じて、周波数設定ゲインパラメータを使用して前記インバーターによって出力された前記制御信号を調整する請求項１に記載の梳綿機の給綿システム。
【請求項５】
前記インバーターによって出力された前記制御信号を調整することによって綿の供給量を変える請求項１に記載の梳綿機の給綿システム。
【考案の詳細な説明】
【技術分野】
【０００１】
本考案は梳綿機の給綿システムに関する。
【背景技術】
【０００２】
梳綿機は繊維産業において非常に重要な工作機械であり、元の繊維の端は梳綿機によって均一で組織化された状態に梳綿され、次に後続の加工を実行し又は綿スライバーに結合して、布に織り込むか、不織布に直接結び付ける。このようなプロセスでは、操作者が様々な織物を簡単且つ迅速に再紡できるようにする方法は、実際に当業者にとって継続的に注目している課題である。
【考案の概要】
【考案が解決しようとする課題】
【０００３】
本開示は、アナログ電圧を出力するためのドッファーインバーターと、アナログ電圧を受信するようにドッファーインバーターに信号接続され、アナログ電圧に基づき制御信号を出力するためのインバーターと、インバーターに信号接続され、制御信号を受信するための減速機モーターと、を備え、減速機モーターの回転数が制御信号によって制御される梳綿機の給綿システムを提供することを目的とする。
【課題を解決するための手段】
【０００４】
いくつかの実施例において、前記減速機モーターは、給綿ローラーグループを駆動して給綿ローラーグループの回転数を制御するために使用される。
【０００５】
いくつかの実施例において、前記インバーターは、さらに、製造された綿スライバーの重量ニーズに応じて、インバーターによって出力された制御信号を調整するために使用される。
【０００６】
いくつかの実施例において、前記インバーターは、製造された綿スライバーの重量ニーズに応じて、周波数設定ゲインパラメータを使用してインバーターによって出力された制御信号を調整するために使用される。
【０００７】
いくつかの実施例において、インバーターによって出力された制御信号を調整することによって綿の供給量を変える。
【０００８】
本開示の前記又は他の特徴、及びメリットをより分かりやすくするために、下文では、特に実施例を挙げて、添付の図面に合わせて、下記のように詳細に説明する。
【図面の簡単な説明】
【０００９】
以下、添付図面を参照して詳しく説明することにより、本開示の態様をより良く了解することができる。注意すべきなのは、業界標準の慣行によれば、各特徴は一定の縮尺で描かれていない。実質的に、検討をより明確にするために、各特徴のサイズを任意に拡大又は縮小してもよい。
【図１】本開示の実施例による梳綿機の給綿システムを示すブロック図である。
【図２】本開示の実施例によるドッファー回転数とインバーターの周波数との関係図である。
【考案を実施するための形態】
【００１０】
以下、本考案の実施例を詳細に検討する。しかしながら、理解すべきなのは、実施例は様々な特定の内容で実施される数多くの応用可能な概念を提供する。検討及び開示された実施例は、説明するためのものだけであり、本考案の範囲を限定するものではない。
【００１１】
市場に出回っている梳綿機の主なブランドは、ＲＩＥＴＥＲ、ＭＥＩＫＩＮ、豊田、ＭＡＲＺＯＬＩ、ＨＯＷＡ、ＮＩＴＴＯなどであり、ＭＥＩＫＩＮ  ＴＭ−８ＳＩＩ型梳綿機に配置される給綿システムは、三菱のＺＴ−０．６ＳＡ誘導クラッチ（Ｉｎｄｕｃｔｉｏｎ  ｃｌｕｔｃｈ．ｂｒａｋｅ）で伝動して給綿ローラーの回転数を制御する。しかしながら、上記の誘導クラッチは１９９５年９月に生産が終了し、２００２年９月に修理が終了し、且つ交換モデルがないため、故障すると修理できなくなった。
【００１２】
ＭＥＩＫＩＮ  ＴＭ−８ＳＩＩ型梳綿機に配置される給綿システムは、１組のベベルギア伝達機構を備え、ドッファーから給綿ローラーまで機械的に駆動されることができるが、この綿の供給方法は、綿スライバーの重量の正確さを求めるために、再紡時に頻繁にギアを変更し、及びＣｈｕｔｅ綿箱の綿層の厚さを調整する必要があり、時間と労力がかなりかかる。
【００１３】
図１は本開示の実施例による梳綿機の給綿システム１００を示すブロック図である。梳綿機の給綿システム１００は、ドッファーインバーター１２０、インバーター１４０及び減速機モーター１６０を備える。インバーター１４０は、ドッファーインバーター１２０に信号接続され、減速機モーター１６０は、インバーター１４０に信号接続される。具体的に、本開示はＭＥＩＫＩＮ  ＴＭ−８ＳＩＩ型梳綿機に配置される給綿システムの誘導クラッチをインバーター１４０及び減速機モーター１６０に置き換えて、梳綿機が依然として給綿の制御を行うことができるようにする。
【００１４】
ドッファーインバーター１２０は、織物のニーズに応じて対応するアナログ電圧を出力するために使用される。インバーター１４０は、ドッファーインバーター１２０から該アナログ電圧を受信して該アナログ電圧に応じて制御信号を対応的に出力する。減速機モーター１６０はインバーター１４０から該制御信号を受信し、それにより、減速機モーター１６０の回転数が該制御信号によって制御される。
【００１５】
本開示の実施例において、減速機モーター１６０は、給綿ローラーグループの回転数を制御するように、梳綿機の該給綿ローラーグループ（図示せず）を駆動するために使用される。
【００１６】
具体的に、本開示は、ドッファーインバーター１２０によって出力されたアナログ電圧をインバーター１４０の入力電圧として利用することによって、減速機モーター１６０の回転数を制御して、高速／低速のフォローアップ変換の効果を達成するようにする。
【００１７】
本開示の実施例において、再紡時に、インバーター１４０は、さらに、製造された織物の綿スライバーの重量ニーズに応じてインバーター１４０によって出力された該制御信号を微調整するために使用され、それにより、減速機モーター１６０の回転数を微調整して、給綿ローラーグループの回転数を微調整するようにする。
【００１８】
具体的に、インバーター１４０は、製造された織物の綿スライバーの重量ニーズに応じて、周波数設定ゲインパラメータを使用してインバーター１４０によって出力された該制御信号を微調整し、それにより、減速機モーター１６０の回転数を微調整して、給綿ローラーグループの回転数を微調整するようにして、綿の供給量を簡単且つ迅速に調整することができて、製造された織物の綿スライバーの重量（単位：グレーン）を調整する効果を達成する。
【００１９】
図２は本開示の実施例によるドッファー回転数（生産速度）とインバーター１４０の周波数との関係図である。図面から分かるように、操作者は、予想される生産速度に従ってインバーター１４０の周波数を調整できる。例えば、現在の綿の供給量に対応するドッファー回転数が低速であると、綿の供給量に対応するドッファー回転数を高速に変更しようとする場合、インバーター１４０の周波数を上げてよい。また、図２における３本の直線Ｃ１、Ｃ２、Ｃ３でそれぞれインバーター１４０の異なる周波数設定ゲインパラメータを示し、なお、直線Ｃ１の周波数設定ゲインパラメータによって製造された織物は、直線Ｃ２、Ｃ３の周波数設定ゲインパラメータによって製造された織物の綿スライバーよりも重量が重く、直線Ｃ２の周波数設定ゲインパラメータによって製造された織物は、直線Ｃ３の周波数設定ゲインパラメータによって製造された織物の綿スライバーよりも重量が重い。例えば、現在の製造された織物に使用されているインバーター１４０の周波数設定ゲインパラメータが直線Ｃ２に対応すると、操作者は製造された織物の綿スライバーの重量を増加させようとする場合、インバーター１４０の周波数設定ゲインパラメータに対応する直線の傾きを、例えば直線Ｃ１に増加させてよい。例えば、現在の製造された織物に使用されている周波数設定ゲインパラメータが直線Ｃ２に対応すると、操作者は製造された織物の綿スライバーの重量を減らしようとする場合、インバーター１４０の周波数設定ゲインパラメータに対応する直線の傾きを、例えば直線Ｃ３に減らしてよい。
【００２０】
言い換えると、再紡時に、操作者は、インバーター１４０の周波数設定ゲインパラメータを変更するだけで、製造された織物の綿スライバーの重量を修正する効果を簡単且つ迅速に達成することができる。上記の周波数設定ゲインパラメータは、インバーター１４０の周波数設定ゲインパラメータを調整するパラメータＰｒ．１２５である。
【００２１】
以上のように、本開示は、製造された織物の綿スライバーの重量を修正する効果を簡単且つ迅速に達成することができる梳綿機の給綿システムを提供する。
【００２２】
以上で複数の実施例の特徴を叙述するため、当業者は本開示の態様をより良く理解することができる。当業者は、本開示を容易に他のプロセス及び構造を設計又は修正するする基礎として、それにより、ここで記載されるこれらの実施例と同じ目的及び／又は同じ利点を達成できることを理解すべきである。当業者は、これらの同等の構造が本開示の精神及び範囲から逸脱せず、また、本開示の精神及び範囲から逸脱せずに様々な変更、置換及び変更を行うことができることも理解される。
【符号の説明】
【００２３】
１００：梳綿機の給綿システム
１２０：ドッファーインバーター
１４０：インバーター
１６０：減速機モーター
Ｃ１，Ｃ２，Ｃ３：直線
【図１】
0003232004.tif 000003
【図２】
0003232004.tif 000004